(57)【要約】【課題】  本発明は、電源効率を格段と向上させ得る情報処理装置及びその制御方法を実現するものである。【解決手段】  外部入力による各種の操作内容に応じた処理を実行する情報処理装置及びその制御方法において、外部機器との間で各種データを送受信するための通信手段と、通信手段を含む各種回路に駆動電流を供給する電流供給手段と、外部機器から出力される所定の高周波数帯の搬送波を検知する検波手段と、検波手段による搬送波の検知結果に基づいて、通信手段に駆動電流を供給するように電流供給部を制御する制御手段とを設けるようにした。【選択図】        図５
2006148239.tif 000002
【特許請求の範囲】
【請求項１】
外部入力による各種の操作内容に応じた処理を実行する情報処理装置において、
外部機器との間で各種データを送受信するための通信手段と、
上記通信手段を含む各種回路に駆動電流を供給する電流供給手段と、
上記外部機器から出力される所定の高周波数帯の搬送波を検知する検波手段と、
上記検波手段による上記搬送波の検知結果に基づいて、上記通信手段に駆動電流を供給するように上記電流供給手段を制御する制御手段と
を具えることを特徴とする情報処理装置。
【請求項２】
上記制御手段は、
上記外部機器が予め設定された正当な通信リンク対象であるか否かを判断し、当該判断結果に応じて、上記通信手段と上記外部機器との間で通信リンクを確立する
ことを特徴とする請求項１に記載の情報処理装置。
【請求項３】
上記検波手段は、上記高周波数帯の搬送波に同調して共振する共振回路でなる
ことを特徴とする請求項１に記載の情報処理装置。
【請求項４】
外部入力による各種の操作内容に応じた処理を実行する情報処理装置の制御方法において、
外部機器から出力される所定の高周波数帯の搬送波を検知する第１のステップと、
上記搬送波の検知結果に基づいて、上記外部機器との間で各種データを送受信するための通信手段に駆動電流を供給する第２のステップと
を具えることを特徴とする情報処理装置の制御方法。
【請求項５】
上記第２のステップでは、
上記外部機器が予め設定された正当な通信リンク対象であるか否かを判断し、当該判断結果に応じて、上記通信手段と上記外部機器との間で通信リンクを確立する
ことを特徴とする請求項４に記載の情報処理装置の制御方法。
【発明の詳細な説明】
【技術分野】
【０００１】
本発明は情報処理装置及びその制御方法に関し、例えば携帯用のオーディオ再生機器に適用して好適なものである。
【背景技術】
【０００２】
従来、この種のオーディオ再生機器のうち、例えばハードディスクプレーヤにおいては、外部のパーソナルコンピュータから供給されるオーディオデータをハードディスクドライブに蓄積すると共に、必要に応じてユーザが所望する楽曲に応じたオーディオデータをハードディスクから読み出して再生するようになされている。
【０００３】
近年、このようなハードディスクプレーヤと携帯電話機とを例えばブルートゥース（Bluetooth）等の無線通信方式で送受信可能な状態に設定しておき、携帯電話機を用いてハードディスクプレーヤを操作したり、携帯電話機への着信時にマイク付ヘッドホンを用いてハンズフリーで通話したりするようになされたものが提案されている（例えば、特許文献１参照）。
【特許文献１】特開２００４−２５４０２３公報
【発明の開示】
【発明が解決しようとする課題】
【０００４】
ところが、無線通信方式としてブルートゥースを適用する場合、ハードディスクプレーヤに搭載されるブルートゥースユニットを常に電源オン状態にしなければならないため、非通信状態のときには無駄な消費電流を生じさせることになる。
【０００５】
特にハードディスクプレーヤでは、携帯時に、例えばリチウムイオンバッテリ等の２次電池を各種回路へのシステム電流を供給するための電源供給源として使用するようになされていることから、携帯電話機との間で非通信時にも電流を消費すると、２次電池の寿命を非常に短くするという問題があった。
【０００６】
本発明は以上の点を考慮してなされたもので、電源効率を格段と向上させ得る情報処理装置及びその制御方法を提案しようとするものである。
【課題を解決するための手段】
【０００７】
かかる課題を解決するため本発明においては、外部入力による各種の操作内容に応じた処理を実行する情報処理装置において、外部機器との間で各種データを送受信するための通信手段と、通信手段を含む各種回路に駆動電流を供給する電流供給手段と、外部機器から出力される所定の高周波数帯の搬送波を検知する検波手段と、検波手段による搬送波の検知結果に基づいて、通信手段に駆動電流を供給するように電流供給手段を制御する制御手段とを設けるようにした。この結果この情報処理装置では、外部機器との非通信時における電源供給手段の消費電流を低減させることができる。
【０００８】
また本発明においては、外部入力による各種の操作内容に応じた処理を実行する情報処理装置の制御方法において、外部機器から出力される所定の高周波数帯の搬送波を検知した後、当該搬送波の検知結果に基づいて、外部機器との間で各種データを送受信するための通信手段に駆動電流を供給するようにした。この結果この情報処理装置の制御方法では、外部機器との非通信時における通信手段に供給する消費電流を低減させることができる。
【発明の効果】
【０００９】
上述のように本発明によれば、外部入力による各種の操作内容に応じた処理を実行する情報処理装置において、外部機器との間で各種データを送受信するための通信手段と、通信手段を含む各種回路に駆動電流を供給する電流供給手段と、外部機器から出力される所定の高周波数帯の搬送波を検知する検波手段と、検波手段による搬送波の検知結果に基づいて、通信手段に駆動電流を供給するように電流供給手段を制御する制御手段とを設けるようにしたことにより、外部機器との非通信時における電源供給手段の消費電流を低減させることができ、かくして電源効率を格段と向上し得る情報処理装置を実現できる。
【００１０】
また本発明においては、外部入力による各種の操作内容に応じた処理を実行する情報処理装置の制御方法において、外部機器から出力される所定の高周波数帯の搬送波を検知した後、当該搬送波の検知結果に基づいて、外部機器との間で各種データを送受信するための通信手段に駆動電流を供給するようにしたことにより、外部機器との非通信時における通信手段に供給する消費電流を低減させることができ、かくして電源効率を格段と向上し得る情報処理装置の制御方法を実現できる。
【発明を実施するための最良の形態】
【００１１】
以下図面について、本発明の一実施の形態を詳述する。
【００１２】
（１）本実施の形態による音楽再生システムの構成
図１において、１は全体として本実施の形態による音楽再生システムを示し、ハードディスクプレーヤ２及び携帯電話機３が例えばブルートゥース（Bluetooth）等の無線通信方式で相互に送受信し得るようになされている。
【００１３】
このうちハードディスクプレーヤ２は、ハードディスクを記録媒体としてオーディオデータの記録再生を行う本体部２Ａと、再生されたオーディオデータに基づく音声を出力するマイク付ヘッドホン２Ｂとから構成されている。かかる本体部２Ａには、再生中の曲名や操作内容等を表示するための液晶ディスプレイでなる表示部４と、各種の操作内容を入力するための操作部５とが設けられている。
【００１４】
また携帯電話機３は、例えば折り畳み式の構造を有する本体部３Ａと、当該本体部３Ａから突出可能に取り付けられたアンテナ３Ｂとから構成されている。かかる本体部３Ａには、２つの内側面のうち、一方には各種の表示内容を表示するための液晶ディスプレイでなる表示部６が設けられ、他方には各種の操作内容を入力するための操作部７が設けられている。
【００１５】
さらにハードディスクプレーヤ２には、内部にブルートゥースユニット（図示せず）が搭載されると共に、携帯電話機３の本体部３Ａにもこれに対応するブルートゥースユニット８が挿脱自在に取り付けられていることにより、ハードディスクプレーヤ２及び携帯電話機３間で各種データを送受信し得るようになされている。
【００１６】
このように音楽再生システム１では、ハードディスクプレーヤ２及び携帯電話機３を双方とも電源オン状態にしてブルートゥースによる無線通信方式で送受信可能な状態にしておき、携帯電話機３を用いてハードディスクプレーヤ２を操作したり、携帯電話機３への着信時にマイク付ヘッドホン２Ｂを用いてハンズフリーで通話したりするようになされている。
【００１７】
（２）ハードディスクプレーヤ２の構成
図２は、ハードディスクプレーヤ２を示し、外部のパーソナルコンピュータから供給されるオーディオデータＤ１をハードディスクに蓄積すると共に、必要に応じてユーザが所望する楽曲に応じたオーディオデータＤ１をハードディスクから読み出して再生し得るようになされている。
【００１８】
すなわちハードディスクプレーヤ２は、外部のパーソナルコンピュータと通信ケーブルを介して例えばＵＳＢ（Universal Serial Bus）規格に準拠した通信を行うためのインターフェース（Ｉ／Ｆ）１０を有し、ユーザの操作に応じて当該インターフェース１０を介してパーソナルコンピュータから伝送されるオーディオデータＤ１をハードディスクドライブ１１内のハードディスクに蓄積するようになされている。
【００１９】
このハードディスクプレーヤ２では、再生時、システム全体の制御を司るＣＰＵ（Central Processing Unit）１２は、操作部５を介してユーザから指示を受けると、ハードディスクドライブ１１を制御して指定された各種楽曲に対応するオーディオデータＤ１をハードディスクから読み出してキャッシュメモリとしてのＳＤＲＡＭ（Synchronous Dynamic Random Access Memory）１３に一時的に格納する。
【００２０】
続いてＣＰＵ１２は、ＳＤＲＡＭ１３から所定タイミングで順次オーディオデータＤ１を読み出しながらデコーダ１４に送出し、当該デコーダ１４において元のフォーマットでなるオーディオデータＤ２となるようにデコード処理させる。そしてＣＰＵ１２は、デコード処理されたオーディオデータＤ２を入出力アンプ１５を介して増幅した後、マイク付ヘッドホン２ＢのヘッドホンＨＰに送出するようにして当該オーディオデータＤ２に基づく音声を外部に放音させる。
【００２１】
またマイク付ヘッドホン２ＢのマイクＭＣから音声が入力された場合には、ＣＰＵ１２は、その音声信号が入出力アンプ１５を介して所定条件下でブルートゥースユニット１６から外部に出力するようになされている。
【００２２】
またＣＰＵ１２は、ＳＤＲＡＭ１３から順次オーディオデータＤ１を読み出す際に、当該オーディオデータＤ１に付加された種々の関連情報（例えばタイトル名、再生時間など）をＬＣＤ（Liquid Crystal Display）からなる表示部４の表示画面に表示させる。
【００２３】
これらインターフェース１０、ハードディスクドライブ１１、ＳＤＲＡＭ１３、デコーダ１４、入出力アンプ１５及び操作部５は、バス１７を介してＣＰＵ１２と接続され、当該ＣＰＵ１２の制御に基づいて各種動作を実行するようになされている。さらにＣＰＵ１２には、動作プログラムや各定数が記憶されているフラッシュＲＡＭ１８がバスを介して接続されている。
【００２４】
またハードディスクプレーヤ２においては、例えばリチウムイオンバッテリ等の２次電池１９を固定して又は装脱自在に収納するための電池収納部２０が設けられ、当該電池収納部２０に収納された２次電池１９を携帯時など必要に応じて電源供給源として使用し得るようになされている。すなわち電池収納部２０に収納された２次電池１９は、使用時には、自己の充電電流を電源供給部２１を介して全回路にシステム電流として供給し得るようになされている。
【００２５】
また電池収納部２０に収納された２次電池１９は、ＤＣ入力端子２２を介して外部の家庭用電源（図示せず）からＡＣアンプを介して供給される直流電流を用いて充電し得るようになされている。具体的にハードディスクプレーヤ２には、ＤＣ入力端子２２及び電池収納部２０間に充電ＩＣ（Integrated Circuit）部２３が設けられ、ＣＰＵ１２の制御に基づいて当該充電ＩＣ部２３がＤＣ入力端子２２を介して供給される直流電流を２次電池１９に供給し得るようになされている。
【００２６】
本実施の形態の場合、ハードディスクプレーヤ２では、通常の音楽再生時には、ＣＰＵ１２は、電源供給部２１を制御して、当該ハードディスクプレーヤ２を構成する全回路のうちブルートゥースユニット１６への電流供給を遮断して電源オフ状態にするようになされている。
【００２７】
さらにハードディスクプレーヤ２には、上述したブルートゥースユニット１６がバス１７を介してＣＰＵ１２に接続されており、ブルートゥースによる無線通信方式で対応するブルートゥースユニットとの間で種々のデータを送受信し得るようになされている。
【００２８】
かかる構成に加えて、このハードディスクプレーヤ２には、携帯電話機３に取り付けられたブルートゥースユニット８からの送受信搬送波を検知するための検波部２４がバス１７を介してＣＰＵ１２に接続されている。この検波部２４は、図３に示すように、並列接続されたコイル３０及びコンデンサ３１と、当該コイル３０を整流するためのダイオード３２と、回路中の導体を絶縁状態にしたことによりコンデンサ効果を得るための仮想コンデンサ３３とから構成されている。
【００２９】
この検波部２４は、並列接続されたコイル３０及びコンデンサ３１の一端がダイオード３２を介してバス１７（図２）に接続されると共に、他端がアース接地されている。またダイオード３２及びバス１７間の接続中点Ｐ１は、仮想ダイオード３３を介してアース接地されている。
【００３０】
このように検波部２４では、並列接続されたコイル３０及びコンデンサ３１がＬＣ共振回路を構成して、携帯電話機３に取り付けられたブルートゥースユニット８からの送受信搬送波（2.4〔GHz〕）と同調することにより、その共振結果であるコイル３０の励磁によりダイオード３２から順方向電圧でなる直流電圧を発生させ、その直流電圧をバス１７を介してＣＰＵ１２（図２）に供給するようになされている。
【００３１】
この結果、ＣＰＵ１２は、検波部２４から供給される直流電圧の電圧レベルを「Ｈ」又は「Ｌ」の２値化判断することにより、携帯電話機３と間で送受信状態にあるか否かを判断し得るようになされている。
【００３２】
そしてＣＰＵ１２は、携帯電話機３との間で送受信状態にあると判断した場合には、電源供給部２１を制御して、２次電池１９から供給される直流電流をブルートゥースユニット１６に供給することにより、電源オフ状態にあるブルートゥースユニット１６を電源オン状態に切り換えるようになされている。
【００３３】
（３）携帯電話機３の構成
図４は、携帯電話機３を示し、マイクロプロセッサ構成でなる制御回路４０が、変復調回路４１及び音声符号化／復号化回路４２等の内部回路を、メモリ４３をシステムメモリとして用いながら制御するようになされている。
【００３４】
この携帯電話機３では、受信時、変復調回路４１はアンテナ３Ｂによって受信された無線周波数帯域の信号をスイツチ４４を介して入力し、復調された信号を音声符号化／復号化回路４２に出力するように動作する。このとき音声符号化／復号化回路４２は復調された信号を音声信号に復号し、アンプ４５を介してスピーカ４６に出力する。
【００３５】
一方、この携帯電話機３では、送信時、音声符号化／復号化回路４２がマイクロホン４７及びアンプ４８を介して入力した音声信号を符号化し、変復調回路４１に出力するように動作する。このとき変復調回路４１は入力された音声信号を無線周波数帯域の信号に変調し、スイツチ４４及びアンテナ３Ｂを介して発信する。
【００３６】
また携帯電話機３では、受信時及び送信時、操作部７から入力される操作内容に応じて、制御回路４０がＬＣＤ駆動回路４９を駆動制御して、各種必要な表示内容を表示部６に表示させる。
【００３７】
かかる構成に加えて、この携帯電話機３では、上述したブルートゥースユニット８が挿脱自在に取り付け可能に構成されており、取り付け時にはブルートゥースによる無線通信方式で対応するブルートゥースユニットとの間で種々のデータを送受信し得るようになされている。
【００３８】
（４）本実施の形態による電源制御処理
実際にこの音楽再生システム１において、携帯電話機３が着信又は送信を行うと、ハードディスクプレーヤ２内のＣＰＵ１２は、図５に示す電源制御処理手順ＲＴ１をステップＳＰ０から開始し、続くステップＳＰ１において、検波部２４（図２）が携帯電話機３に取り付けられたブルートゥースユニット８からの送受信搬送波と同調して共振したことにより、当該検波部２４からその検波整流として得られる直流電圧が供給されたか否かを判断する。
【００３９】
ＣＰＵ１２は、このステップＳＰ１において肯定結果が得られるのを待った後、ステップＳＰ２に進んで、電源供給部２１を制御してブルートゥースユニット１６を電源オン状態に切り換えて、当該ブルートゥースユニット１６を待ち受け状態にした後、ステップＳＰ３に進む。
【００４０】
このステップＳＰ３において、ＣＰＵ１２は、フラッシュＲＡＭ１８から読み出したブルートゥース用のアプリケーションを立ち上げるようにして、携帯電話機３に取り付けられたブルートゥースユニット８が通信リンク対象となる機器であるか否かを判断する。
【００４１】
実際にかかるステップＳＰ３では、ＣＰＵ１２は、双方のブルートゥースユニット８、１６間で問い合わせ及び呼び出しによる同期確立を所定回数又は所定時間だけ試みながら、その間に双方で同期確立を行うことができたか否かにより、通信リンク対象となる機器であるか否かを判断する。
【００４２】
このステップＳＰ３において肯定結果が得られた場合には、ＣＰＵ１２は、ステップＳＰ４に進んで、携帯電話機３及びハードディスクプレーヤ２の双方のブルートゥース８、１６間で通信リンクを確立させた後、ステップＳＰ５に進む。
【００４３】
このステップ５において、ＣＰＵ１２は、携帯電話機３との通信が終了したか否かを判断し、肯定結果が得られた場合のみ、ステップＳＰ６に進んで、電源供給部２１を制御してブルートゥースユニット１６を電源オフ状態に切り換えた後、再度ステップＳＰ１に戻って上述と同様の処理を繰り返す。
【００４４】
これに対してステップＳＰ３において否定結果が得られた場合、このことはブルートゥースユニット８、１６間で問い合わせ及び呼び出しによる同期確立を所定回数又は所定時間だけ試みた結果、現在の通信相手が通信リンク対象となる機器ではないと判断したことを意味し、このときＣＰＵ１２は、ステップＳＰ６に進んで、電源供給部２１を制御してブルートゥースユニット１６を電源オフ状態に切り換えた後、再度ステップＳＰ１に戻って上述と同様の処理を繰り返す。
【００４５】
このように音楽再生システム１では、ハードハードディスクプレーヤ２は、携帯電話機３に取り付けられたブルートゥースユニット８からの送受信搬送波を検知し、かつ当該携帯電話機３が通信リンク対象であると認識した場合のみ、内蔵されているブルートゥースユニット１６を電源オン状態に切り換えることにより、非通信時において２次電池１９の消費電流が低減するのを効率良く防止することができる。
【００４６】
（５）本実施の形態による動作及び効果
以上の構成において、この音楽再生システム１では、携帯電話機３が着信又は送信すると、ハードディスクプレーヤ２は、携帯電話機３に取り付けられたブルートゥースユニット８からの送受信搬送波を検知して、内蔵されたブルートゥースユニット１６を電源オン状態に切り換える。
【００４７】
続いてハードディスクプレーヤ２は、自己のブルートゥースユニット１６と携帯電話機３に取り付けられたブルートゥースユニット８との間で同期確立を所定回数又は所定時間だけ試みることによって、当該携帯電話機３に通信リンク対象となる機器であるか否かを判断する。
【００４８】
そしてハードディスクプレーヤ２は、その携帯電話機３が通信リンク対象となる機器であると判断した場合のみ、当該携帯電話機３及びハードディスクプレーヤ２の双方のブルートゥース８、１６間で通信リンクを確立させる。
【００４９】
このようにハードディスクプレーヤ２では、通信相手である携帯電話機３が着信又は送信した際に、ブルートゥースによる無線通信を実行する場合のみ、内蔵されているブルートゥースユニット１６に電流を供給するようにしたことにより、非通信時における２次電池１９の消費電流を低減させることができる。
【００５０】
この結果、ハードディスクプレーヤ２では、ブルートゥースによる無線通信を実行する場合には常にブルートゥースユニット１６を電源オン状態にさせておく必要があるが、携帯電話機３のように着信又は送信のタイミングが予測できない場合であってもブルートゥースユニット１６に電流を供給しなければならないといった無駄を解消することができる点で非常に有効である。
【００５１】
またハードディスクプレーヤ２において、携帯電話機３の着信又は送信を検知する検波部２４を、コイル３０、コンデンサ３１及びダイオード３２からなる単純な構成のもの（図３）を適用したことにより、当該ハードディスクプレーヤ２全体の構成が煩雑化したり大型化したりするのを回避することができる点でも非常に有効である。
【００５２】
以上の構成によれば、この音楽再生システム１において、ハードディスクプレーヤ２内に検波部２４を設け、携帯電話機３に取り付けられたブルートゥースユニット８からの送受信搬送波を検知した場合のみ、当該ハードディスクプレーヤ２に内蔵されたブルートゥースユニット１６を電源オン状態に切り換えて、かかるブルートゥースユニット１６と携帯電話機３に取り付けられたブルートゥースユニット８との間で通信リンクを確立するようにしたことにより、非通信時におけるハードディスクプレーヤ２内の２次電池１９の消費電流を低減させることができ、かくして２次電池１９の寿命を効率良く延ばすことができる。
【００５３】
（６）他の実施の形態
なお上述の本実施の形態においては、本発明を図１に示すようなハードディスクプレーヤ２に適用するようにした場合について述べたが、本発明はこれに限らず、要は、外部入力による各種の操作内容に応じた処理を実行する情報処理装置であれば、ハードディスクプレーヤ２のみならず、ＤＶＤ（Digital Versatile Disk）等の記録及び又は再生装置や、ＭＤ（Mini Disc）等の光磁気ディスクの記録及び又は再生装置やビデオカメラ、携帯電話機、携帯情報機器（ＰＤＡ：Personal Digital Assistannts）など、この他種々の構成の情報処理装置に広く適用することができる。
【００５４】
また上述の本実施の形態においては、携帯電話機（外部機器）３との間で各種データを送受信するための通信手段として、ハードディスクプレーヤ２内のブルートゥースユニット１６を適用した場合について述べたが、本発明はこれに限らず、無線通信によるリンクを確立する手法であれば、ブルートゥース方式以外にも無線ＬＡＮ（Local Area Network）方式などの種々の無線通信方式を適用するようにしても良い。
【００５５】
さらに上述の本実施の形態においては、ハードディスクプレーヤ２内のブルートゥースユニット（通信手段）１６を含む各種回路に駆動電流を供給する電流供給手段を、ハードディスクプレーヤ２内のＣＰＵ１２、２次電池１９及び電源供給部２１から構成するようにした場合について述べたが、本発明はこれに限らず、必要に応じてブルートゥースユニット（通信手段）１６に駆動電流を供給することができれば、この他種々の構成でなる電流供給手段を広く適用するようにしても良い。
【００５６】
さらに上述の本実施の形態においては、携帯電話機（外部機器）３から出力される所定の高周波数帯（2.4〔GHz〕）の搬送波を検知する検波手段として、図３に示すようなコイル３０及びコンデンサ３１からなるＬＣ共振回路とその検波整流を行うダイオード３２とから構成された検波部２４を適用するようにした場合について述べたが、本発明はこれに限らず、要は、外部機器から出力される高周波数帯の搬送波を検知することができれば、この他種々の構成でなる検波手段に広く適用するようにしても良い。
【００５７】
さらに上述の本実施の形態においては、検波部（検波手段）２４による高周波数帯（2.4〔GHz〕）の搬送波の検知結果に基づいて、ブルートゥースユニット（通信手段）１６に駆動電流を供給するようにＣＰＵ１２、２次電池１９及び電源供給部２１（電流供給手段）を制御する制御手段として、ハードディスクプレーヤ２内のＣＰＵ１２を適用した場合について述べたが、本発明はこれに限らず、外部機器が予め設定された正当な通信リンク対象であるか否かを判断し、当該判断結果に応じて外部機器との間で通信リンクを確立することができれば、この他種々の構成からなる制御手段に広く適用することができる。
【産業上の利用可能性】
【００５８】
情報処理装置及びその制御方法において、ハードディスクプレーヤやＭＤ（Mini Disc）プレーヤなどの種々の携帯用のオーディオ機器等に適用することができる。
【図面の簡単な説明】
【００５９】
【図１】本発明による音楽再生システムの構成を示すブロック図である。
【図２】図１に示すハードディスクプレーヤの内部構成を示すブロック図である。
【図３】図２に示す検波部の内部構成を示すブロック図である。
【図４】図１に示す携帯電話機の内部構成を示すブロック図である。
【図５】電源制御処理手順の説明に供するフローチャートである。
【符号の説明】
【００６０】
１……音声再生システム、２……ハードディスクプレーヤ、３……携帯電話機、８、１６……ブルートゥースユニット、１２……ＣＰＵ、１９……２次電池、２１……電源供給部、２４……検波部、３０……コイル、３１……コンデンサ、３２……ダイオード、３３……仮想コンデンサ、ＲＴ１……電源制御処理手順。
【図１】
2006148239.tif 000003
【図２】
2006148239.tif 000004
【図３】
2006148239.tif 000005
【図４】
2006148239.tif 000006
【図５】
2006148239.tif 000007